(57)【特許請求の範囲】
【請求項１】
圧縮機と、凝縮器と、蒸発機とを有して冷暖房可能な空気調和装置において、室内温度を検出する室内温度検出手段と、室内配管温度を検出する室内配管温度検出手段と、前記室内温度検出手段が検出する室内温度と前記室内配管温度検出手段が検出する室内配管温度との温度差を演算する演算手段と、前記温度差を所定の温度差設定値と比較すると共に、前記温度差が前記温度差設定値以下の時に前記圧縮機を停止させる制御手段とを備えたことを特徴とする空気調和装置。
【請求項２】
制御手段は、空気調和装置の運転開始からの運転時間を検知し、その検知された運転時間が所定の運転時間内の時には、圧縮機を停止させないように制御することを特徴とする請求項１記載の空気調和装置。
【請求項３】
制御手段は、温度差が温度差設定値以下の時に、前記温度差が前記温度差設定値以下である状態の経過時間を検知し、前記経過時間が所定の経過時間設定値以上の時に圧縮機を停止させるように制御することを特徴とする請求項１記載の空気調和装置。
【発明の詳細な説明】
【０００１】
【発明の属する技術分野】
本発明は空気調和装置において、圧縮機の破損を防止する技術に関するものである。
【０００２】
【従来の技術】
従来の空気調和装置では、供給電源が瞬間停電を起こした際に圧縮機が逆転を起こす場合があり、圧縮機は逆転した状態で運転を続けることがあった。
【０００３】
【発明が解決しようとする課題】
しかしながら上記の従来の空気調和装置では、圧縮機が逆転した状態で運転を続けた場合、圧縮機のコイル温度が異常に上昇し、破損するという問題点があった。
【０００４】
本発明は上記従来例の問題を解決することを課題とするものである。
【０００５】
【課題を解決するための手段】
上記の問題点を解決するために本発明は、圧縮機が逆転を起こした場合、その状態を検知し、圧縮機を停止する制御手段を設けたものである。そして圧縮機の逆転継続を停止することができる。
【０００６】
【発明の実施の形態】
本発明は、圧縮機が逆転を起こした場合、その状態を検知して圧縮機を停止するものであり、これにより圧縮機の逆転による破損を防止するものである。
【０００７】
そして、圧縮機の逆転を検知する手段は、室内温度検出手段による温度と、室内配管温度検出手段による温度との温度差によって逆転状態を検知することができる。
【０００８】
従って、従来の空気調和装置に使用されている部品のみで検知が可能であり、逆転の状態を迅速に検知することができて、その逆転を停止することができる。
【０００９】
また、空気調和装置の運転開始より、ある一定時間は室内温度と室内配管温度の温度差が設定値を下回るが、その間は圧縮機を停止させないことにすることにより、制御の誤動作を防止する。
【００１０】
また、空気調和装置の運転条件の変化時に室内温度と室内配管温度の温度差が一時的に設定値を下回るが、温度差が設定値を下回る状態が一定時間継続した場合、圧縮機を停止することとすることにより、制御が誤動作することを防止する。
【００１１】
以上の本発明の作用により本発明の実施が可能であるが、以下に具体的な実施例について説明する。
【００１２】
【実施例】
以下、本発明による空気調和装置の一実施例を図面と共に説明する。
【００１３】
図５は空気調和装置の冷凍サイクルで、圧縮機２０１から吐出された冷媒は四方弁２０２，凝縮器２０３，キャピラリーチューブ２０４，蒸発機２０５と流れ圧縮機２０１に吸入される。２０６は室内温度検出手段、２０７は室内配管温度検出手段で構成される。
【００１４】
（実施例１）
図１において、制御系に取り入れられる情報は、室内温度，室内配管温度である。
【００１５】
まず、運転時間判定回路１で積算運転時間と運転時間設定値２を比較し、積算運転時間が運転時間設定値２以上であれば、室内温度，室内配管温度の情報を室内温度検出手段３，室内配管温度検出手段４から制御系に取り入れ、温度差演算手段５にて室内温度検出手段３と、室内配管温度検出手段４より得た室内温度，室内配管温度の温度差を演算し、温度差比較手段６により温度差設定値７と比較し、温度差設定値７以下であれば、圧縮機停止手段８により圧縮機９を停止させる。
【００１６】
この制御の流れをフローチャートにしたものが図２である。
ステップ１０１で運転時間Ｔを検知し、そしてステップ１０２で運転時間Ｔと運転時間設定値Ｔｓの関係がＴ≧Ｔｓに成り立てば、ステップ１０３で室内温度ｔ１を読み込み、ステップ１０４で室内配管温度ｔ２を読み込む。そしてステップ１０５でｔ１，ｔ２の温度差ｔを演算し、ステップ１０６で温度差ｔと温度差設定値ｔｓとの関係がｔ≦ｔｓに成り立てば、ステップ１０７で圧縮機を停止させる。
【００１７】
（実施例２）
図３において、制御系に取り入れられる情報は、室内温度，室内配管温度である。
【００１８】
まず、運転時間判定回路１１で積算運転時間と運転時間設定値１２を比較し、積算運転時間が運転時間設定値１２以上であれば、室内温度，室内配管温度の情報を室内温度検出手段１３，室内配管温度検出手段１４から制御系に取り入れ、温度差演算手段１５にて室内温度検出手段１３と、室内配管温度検出手段１４より得た室内温度，室内配管温度の温度差を演算し、温度差比較手段１６により温度差設定値１７と比較し、温度差設定値１７以下であれば、時間カウンタ１８により、上記の温度差が温度差設定値１７以下である状態の経過時間を検知し、経過時間比較手段１９により、その経過時間と経過時間設定値２０を比較し、経過時間が経過時間設定値２０以上経過すれば、圧縮機停止手段２１により圧縮機２２を停止させる。
【００１９】
この制御の流れをフローチャートにしたものが図４である。
ステップ１１１で運転時間Ｔを検知し、そして運転時間Ｔと運転時間設定値Ｔｓの関係がステップ１１２でＴ≧Ｔｓに成り立てば、ステップ１１３で室内温度ｔ１を読み込み、ステップ１１４で室内配管温度ｔ２を読み込む。そしてステップ１１５でｔ１，ｔ２の温度差ｔを演算し、温度差ｔと温度差設定値ｔｓとの関係がステップ１１６でｔ≧ｔｓに成り立てば、時間カウンタ１８にて上記ｔ≧ｔｓ状態の経過時間Ｔａをステップ１１７で検知し、そのＴａと温度差時間設定値Ｔｃの関係がステップ１１８でＴａ≧Ｔｃに成り立てば、ステップ１１９で圧縮機を停止させる。
【００２０】
【発明の効果】
本発明は、圧縮機の逆転状態を検知し、圧縮機を停止することにより、圧縮機のコイルの異常な温度上昇を防止し圧縮機の破壊を防止することができる。
【００２１】
また、圧縮機が逆転を起こした場合、室内温度と室内配管温度の温度差によってその状態を検知することにより、従来の空気調和装置に使用されている部品のみで検知可能であり、新たにコストをかけることなくこの制御が可能であり、また逆転の状態を迅速に検知することが可能である。
【００２２】
また、空気調和装置の運転開始よりある一定時間は、室内温度と室内配管温度の温度差が設定値を下回るが、その間は圧縮機を停止させないことにより制御が誤動作することが防止可能である。
【００２３】
また、空気調和装置の運転条件の変化時に室内温度と室内配管温度の温度差が一時的に設定値を下回るが、温度差が設定値を下回る状態が一定時間継続した場合、圧縮機を停止させることにより制御が誤動作することが防止可能で、逆転による圧縮機の破壊を防止することができる。
【図面の簡単な説明】
【図１】本発明の実施例１における圧縮機の逆転防止制御のブロック図
【図２】同圧縮機の逆転防止制御のフローチャート
【図３】本発明の実施例２における圧縮機の逆転防止制御のブロック図
【図４】同圧縮機の逆転防止制御のフローチャート
【図５】本発明における空気調和装置の冷凍サイクル説明図
【符号の説明】
１，１１  運転時間判定回路
２，１２  運転時間設定値
３，１３  室内温度検出手段
４，１４  室内配管温度検出手段
５，１５  温度差演算手段
６，１６  温度差比較手段
７，１７  温度差設定値
８，２１  圧縮機停止手段
９，２２  圧縮機
１８  時間カウンタ
１９  経過時間比較手段
２０  経過時間設定値
【図１】
0003613862.tif 000002
【図２】
0003613862.tif 000003
【図３】
0003613862.tif 000004
【図４】
0003613862.tif 000005
【図５】
0003613862.tif 000006